【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
複数のユーザに複数の番組へのアクセスを提供する双方向テレビ番組ガイドシステムにおいて用いられる方法であって、
該方法は、
複数のユーザ機器を提供することであって、該複数のユーザ機器のそれぞれは、映像を提示するように構成されている、ことと
該複数のユーザ機器のそれぞれに結合されており、該複数のユーザ機器に映像を提供するように構成されているサーバを提供することと、
該サーバに番組を録画することであって、該サーバに録画された番組は、ユーザによって選択されたものである、ことと、
該複数のユーザ機器のうちの所与のユーザ機器におけるユーザから、該サーバに録画された番組を再生するようにとの指示を受け取ることと、
該指示を受け取ったことに応答して、該サーバから該番組にアクセスすることと、
該所与のユーザ機器におけるユーザに該番組を表示することと
を包含する、方法。
【請求項２】
前記複数のユーザ機器のうちの少なくとも１つは、格納装置を有しており、
前記方法は、所与のユーザ機器の格納装置に前記番組を格納することをさらに包含する、請求項１に記載の方法。
【請求項３】
前記方法は、
前記複数のユーザ機器のうちの少なくとも１つの他のユーザ機器における少なくとも１人の他のユーザから、前記サーバに格納された番組を再生するようにとの少なくとも１つの他の指示を受け取ることと、
該少なくとも１つの他のユーザ機器における該少なくとも１人の他のユーザに該番組を表示することと
をさらに包含し、
前記所与のユーザ機器における前記ユーザに対する前記番組の表示は、該少なくとも１つの他のユーザ機器における該少なくとも１人の他のユーザに対する該番組の表示と同時である、請求項１に記載の方法。
【請求項４】
前記サーバに録画された番組は、前記所与のユーザ機器におけるユーザによって選択される、請求項１に記載の方法。
【請求項５】
前記サーバに録画された番組は、前記所与のユーザ機器におけるユーザとは異なる少なくとも１人の他のユーザによって選択される、請求項１に記載の方法。
【請求項６】
前記少なくとも１人の他のユーザは、前記所与のユーザ機器とは異なるユーザ機器に位置する、請求項５に記載の方法。
【請求項７】
前記サーバによって録画された番組を消去したいという所望を示す機会を前記所与のユーザ機器におけるユーザに提供することと、
該番組を消去したいというユーザが示した所望に応答して、該サーバから所望された番組を消去することと
をさらに包含する、請求項１に記載の方法。
【請求項８】
前記所与のユーザ機器におけるユーザと前記少なくとも１人の他のユーザとが前記サーバに録画されるべき番組を選択し、
該サーバに録画された番組を消去したいという所望を示す機会を該所与のユーザ機器におけるユーザと該少なくとも１人の他のユーザとに提供することと、
該所与のユーザ機器におけるユーザと該少なくとも１人の他のユーザとのうちの一方が番組を消去したいというユーザが示した所望に応答して、該少なくとも１人のユーザに対する番組であって、該サーバに録画された複数の番組のディレクトリ内の、該サーバに録画された番組のエントリを消去することと
をさらに包含する、請求項１に記載の方法。
【請求項９】
前記所与のユーザ機器におけるユーザと前記少なくとも１人の他のユーザとのうちの他方が番組を消去したいというユーザが示した所望に応答して、前記サーバから該サーバに録画された番組を消去することとをさらに包含する、請求項８に記載の方法。
【請求項１０】
前記番組とともに番組ガイドデータを前記サーバに録画することをさらに包含する、請求項１に記載の方法。
【請求項１１】
前記サーバは、リモートメディアサーバである、請求項１に記載の方法。
【請求項１２】
前記サーバは、ローカルメディアサーバである、請求項１に記載の方法。
【請求項１３】
複数のユーザに複数の番組へのアクセスを提供する双方向テレビ番組ガイドシステムであって、
該システムは、
複数のユーザ機器を提供する手段であって、該複数のユーザ機器のそれぞれは、映像を提示するように構成されている、手段と
該複数のユーザ機器のそれぞれに結合されており、該複数のユーザ機器に映像を提供に構成されているサーバを提供する手段と、
該サーバに番組を録画する手段であって、該サーバに録画された番組は、ユーザによって選択されたものである、手段と、
該複数のユーザ機器のうちの所与のユーザ機器におけるユーザから、該サーバに録画された番組を再生するようにとの指示を受け取る手段と、
該指示を受け取ったことに応答して、該サーバから該番組にアクセスする手段と、
該所与のユーザ機器におけるユーザに該番組を表示する手段と
を備えた、システム。
【請求項１４】
前記複数のユーザ機器のうちの少なくとも１つは、格納装置を有しており、
前記システムは、所与のユーザ機器の格納装置に前記番組を格納する手段をさらに備えている、請求項１３に記載のシステム。
【請求項１５】
前記システムは、
複数のユーザ機器のうちの少なくとも１つの他のユーザ機器における少なくとも１人の他のユーザから、前記サーバに格納された番組を再生するようにとの少なくとも１つの他の指示を受け取る手段と、
該少なくとも１つの他のユーザ機器における該少なくとも１人の他のユーザに該番組を表示する手段と
をさらに備え、
前記所与のユーザ機器における前記ユーザに対する前記番組の表示は、該少なくとも１つの他のユーザ機器における該少なくとも１人の他のユーザに対する該番組の表示と同時である、請求項１３に記載のシステム。
【請求項１６】
前記サーバに録画された番組は、前記所与のユーザ機器におけるユーザによって選択される、請求項１３に記載のシステム。
【請求項１７】
前記サーバに録画された番組は、前記所与のユーザ機器におけるユーザとは異なる少なくとも１人の他のユーザによって選択される、請求項１３に記載のシステム。
【請求項１８】
前記少なくとも１人の他のユーザは、前記所与のユーザ機器とは異なるユーザ機器に位置する、請求項１７に記載のシステム。
【請求項１９】
前記サーバによって録画された番組を消去したいという所望を示す機会を前記所与のユーザ機器におけるユーザに提供する手段と、
該番組を消去したいというユーザが示した所望に応答して、該サーバから所望された番組を消去する手段と
をさらに備えている、請求項１３に記載のシステム。
【請求項２０】
前記所与のユーザ機器におけるユーザと前記少なくとも１人の他のユーザとが前記サーバに録画されるべき番組を選択し、
該サーバに録画された番組を消去したいという所望を示す機会を該所与のユーザ機器におけるユーザと該少なくとも１人の他のユーザとに提供する手段と、
該所与のユーザ機器におけるユーザと該少なくとも１人の他のユーザとのうちの一方が番組を消去したいというユーザが示した所望に応答して、該少なくとも１人のユーザに対する番組であって、該サーバに録画された複数の番組のディレクトリ内の、該サーバに録画された番組のエントリを消去する手段と
をさらに備えている、請求項１３に記載のシステム。
【請求項２１】
前記所与のユーザ機器におけるユーザと前記少なくとも１人の他のユーザとのうちの他方が番組を消去したいというユーザが示した所望に応答して、前記サーバから該サーバに録画された番組を消去する手段とをさらに備えている、請求項２０に記載のシステム。
【請求項２２】
前記番組とともに番組ガイドデータを前記サーバに録画する手段をさらに備えている、請求項１３に記載のシステム。
【請求項２３】
前記サーバは、リモートメディアサーバである、請求項１３に記載のシステム。
【請求項２４】
前記サーバは、ローカルメディアサーバである、請求項１３に記載のシステム。